(57)【要約】【課題】自然な白色光を照射しつつ、光源を変えて、着色層の色彩を大きく変化させる色彩変化方法等の提供。 【解決手段】光源（Ｂ１）から光源（Ｂ２）に光に変えて、または光源（Ｂ２）から光源（Ｂ１）に光を変えて、色材（Ａ）を含む着色層（Ａ）の色彩を変化させる、色彩変化方法であって、光源（Ｂ１）および光源（Ｂ２）は白色光であり、  光源（Ｂ１）の分光分布は、最大発光強度を１００％とした場合に、波長５５０〜７００ｎｍで５０％以上の発光ピークを１つ以上有し、  光源（Ｂ２）の分光分布は、最大発光強度を１００％とした場合に、波長５００〜６００ｎｍで５０％以上の発光ピークを１つ以上有し、  光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である。【選択図】図１
2019207752.tif 000002
【特許請求の範囲】
【請求項１】
異なる発光波長を有する光源（Ｂ１）および光源（Ｂ２）を用い、光源（Ｂ１）から光源（Ｂ２）に光に変えて、または光源（Ｂ２）から光源（Ｂ１）に光を変えて、色材（Ａ）を含む着色層の色彩が変化する色彩変化方法であって、
色材（Ａ）を含む着色層は、視野角２°でのＣ光源下において、波長４００〜４５０ｎｍの分光反射率が１０％以下、かつ波長５００〜６００ｎｍの分光反射率が６０％以上となる領域を有し、
光源（Ｂ１）および光源（Ｂ２）は白色光であり、
光源（Ｂ１）の分光分布は、最大発光強度を１００％とした場合に、波長５５０〜７００ｎｍで５０％以上の発光ピークを１つ以上有し、
光源（Ｂ２）の分光分布は、最大発光強度を１００％とした場合に、波長５００〜６００ｎｍで５０％以上の発光ピークを１つ以上有し、
光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である、色彩変化方法。
【請求項２】
色材（Ａ）を含む着色層は、視野角２°でのＣ光源下で黄色、橙色または赤色である、請求項１に記載の色彩変化方法。
【請求項３】
色材（Ａ）を含む着色層が、透明樹脂（Ｃ）を含有することを特徴とする、請求項１または２に記載の色彩変化方法。
【請求項４】
色材（Ａ）を含む着色層、ならびに異なる発光波長を有する光源（Ｂ１）および光源（Ｂ２）を備え、
光源（Ｂ１）から光源（Ｂ２）に光に変えて、または光源（Ｂ２）から光源（Ｂ１）に光を変えて、色材（Ａ）を含む着色層の色彩が変化する色彩変化装置であって、
色材（Ａ）を含む着色層は、視野角２°でのＣ光源下において、４００〜４５０ｎｍの範囲で分光反射率が１０％以下であり、５００〜６００ｎｍの範囲に分光反射率が６０％以上となる領域を有し、
光源（Ｂ１）および光源（Ｂ２）は白色光であり、
光源（Ｂ１）の分光分布は、最大発光強度を１００％とした場合に、波長５５０〜７００ｎｍで５０％以上の発光ピークを１つ以上有し、
光源（Ｂ２）の分光分布は、最大発光強度を１００％とした場合に、波長５００〜６００ｎｍで５０％以上の発光ピークを１つ以上有し、
光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である、色彩変化装置。
【発明の詳細な説明】
【技術分野】
【０００１】
本発明は、色材と光源との組み合せにより色彩を変化させる方法に関する。
【背景技術】
【０００２】
従来から、物理的に異なる光（物体色）が特定の条件の下で同じに見える現象を用いた色彩変化が知られている。
条件等色（メタメリズム）の現象は、照明、着色料や素材の働きによって引き起こされ、色と照明が密接にかかわっている。例えば、照明光のもつ分光分布と太陽光のもつ分光分布には大きな違いがあり、照明によって色が変わって見えてしまうという現象は多くの場合、好まれないものとされてきたが、この現象を活用しながら色彩変化の手法が検討されている。
【０００３】
例えば特許文献１では、色の見えは、（照明の分光分布）×（光を反射する色材の分光反射率分布）によって決まることから、適当な分光反射率分布を持った色材を設計すると、分光分布特性の異なった照明の下で色の見えが変化できるとし、この条件等色を活用し表現態様、パターン変化を演出するシステムが提案されている。具体的には、天然色素である麹塵、無機顔料を含む油絵の具等の色材、無機微粒子を用いて、通常の照明の光源と選定したＬＥＤ光源とを用いることが開示されている。
また、特許文献２〜４では、有機染料である分散染料等の染料を含む染色物を用いて、照明光を変えたときに図柄、その色が変化する着色組成が得られることが開示されている。
また、特許文献５〜６では、光源の色によって見える図柄が変化する物で、青色光源を用いた場合に赤色と緑色の部分は互いに原色であるため青色の光と打ち消しあい黒色に見えることが開示されている。
【先行技術文献】
【特許文献】
【０００４】
【特許文献１】特開２００９−２９５４７２号公報
【特許文献２】特開平７−３４３９０号公報
【特許文献３】特開平７−３４３８９号公報
【特許文献４】実開昭６３−１９８５９９号公報
【特許文献５】特開２００２−２２５５００号公報
【特許文献６】特開２００５−３２１７２９号公報
【発明の概要】
【発明が解決しようとする課題】
【０００５】
しかし、従来の技術は、色材と光源の組み合わせにより、自然な白色光を維持しながら、色の変化、特により極端な色彩の変化を視認することができていなかった。また、光源の切り替えにより色彩を変化させていたため、見る者は、色彩の変化に対する驚きが少なかった。
【０００６】
本発明は、自然な白色光を照射しつつ、着色層の色彩を大きく変化させる色彩変化方法、および色彩変化装置の提供を目的とする。
【課題を解決するための手段】
【０００７】
本発明の色彩変化方法は、異なる発光波長を有する光源（Ｂ１）および光源（Ｂ２）を用い、光源（Ｂ１）から光源（Ｂ２）に光に変えて、または光源（Ｂ２）から光源（Ｂ１）に光を変えて、色材（Ａ）を含む着色層の色彩が変化する色彩変化方法であって、  
色材（Ａ）を含む着色層は、視野角２°でのＣ光源下において、波長４００〜４５０ｎｍの分光反射率が１０％以下、かつ波長５００〜６００ｎｍの分光反射率が６０％以上となる領域を有し、
光源（Ｂ１）および光源（Ｂ２）は白色光であり、
光源（Ｂ１）の分光分布は、最大発光強度を１００％とした場合に、波長５５０〜７００ｎｍで５０％以上の発光ピークを１つ以上有し、
光源（Ｂ２）の分光分布は、最大発光強度を１００％とした場合に、波長５００〜６００ｎｍで５０％以上の発光ピークを１つ以上有し、
光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である。
【発明の効果】
【０００８】
上記の本発明によれば、自然な白色光を照射しつつ、光源を変えて、着色層の色彩を大きく変化させる色彩変化方法、および色彩変化装置を提供できる。
【図面の簡単な説明】
【０００９】
【図１】Ｃ光源の発光スペクトルの一例
【図２】Ｆ１０光源の発光スペクトルの一例
【図３】色彩変化装置の光源（Ｂ１）および光源（Ｂ２）の模式的な単色ＬＥＤ配置図
【図４】色彩変化装置の模式的斜視図
【図５】色彩変化装置の模式的な正面図
【図６】単色ＬＥＤ  Ｌ１の発光スペクトル
【図７】単色ＬＥＤ  Ｌ２の発光スペクトル
【図８】単色ＬＥＤ  Ｌ３の発光スペクトル
【図９】単色ＬＥＤ  Ｌ４の発光スペクトル
【図１０】単色ＬＥＤ  Ｌ５の発光スペクトル
【図１１】光源（Ｂ１）の発光スペクトル
【図１２】光源（Ｂ２）の発光スペクトル
【図１３】東洋インキ株式会社製リオアルファＳ  Ｆ５２３朱のＣ光源反射スペクトル
【図１４】東洋インキ株式会社製リオアルファＳ  Ｆ５２５朱のＣ光源反射スペクトル
【図１５】東洋インキ株式会社製リオアルファＳ  Ｆ２３黄のＣ光源反射スペクトル
【図１６】ホルベイン工業株式会社製バヂターブルーＷＷ０９５を１部、シーアイ化成社製ＮａｎｏＴｅｋＰｏｗｄｅｒを１部混合したインキのＣ光源反射スペクトル
【図１７】東洋インキ株式会社製リオアルファＳ  Ｚ８２１紫のＣ光源反射スペクトル
【発明を実施するための形態】
【００１０】
まず、用語を定義する。「色彩変化」とは、被照射体の色彩が実際には変化していないにも関わらず、色彩が変化して見えることを表す。「色彩変化」は、人が視認する色が変化することをいう。Ｃ光源とは、ＪＩＳ Ｚ ８７２０：２０１２で規定された、補助イルミナントＣである。Ｃ光源のスペクトルを図１に示す。
【００１１】
本明細書の色彩変化方法は、色材（Ａ）を含む着色層と、異なる発光波長を有する光源（Ｂ１）および光源（Ｂ２）を使用する。そして異なる発光波長を有する光源（Ｂ１）および光源（Ｂ２）を用い、光源（Ｂ１）から光源（Ｂ２）に光に変えて、または光源（Ｂ２）から光源（Ｂ１）に光を変えて、色材（Ａ）を含む着色層の色彩が変化する。
【００１２】
＜色材（Ａ）を含む着色層＞
色材（Ａ）を含む着色層（以下、着色層という）は、色材（Ａ）は、視野角２°でのＣ光源下において、波長４００〜４５０ｎｍの分光反射率が１０％以下、かつ波長５００〜６００ｎｍの分光反射率が６０％以上である。着色層の分光反射率が上記範囲にあることで、着色層は、光源の切り替えにより極端な色彩の変化が得られる。
【００１３】
着色層は、視野角２°でのＣ光源下において、波長４００〜４５０ｎｍの分光反射率が１０％以下、かつ波長５００〜６００ｎｍの分光反射率が６０％以上となる領域を有している。そのため、着色層は、例えば、Ｆ１０光源やＣ光源、太陽光の照射下において、黄色、橙色または赤色を呈することが好ましい。本明細書では、着色層の分光反射スペクトルは、Ｃ光源を基準にする。また色彩の特定は、市販の分光測色計を用いて色度を測定する。
なお黄色、橙色または赤色とは、Ｃ光源での測定時、Ｙｘｙ表色系においてｙ≧−ｘ＋０．７（但し、ｘ≧０．２、ｙ≧０．２６）の範囲で表される人間の目で認識できる色である。なお、Ｆ１０光源とは、日本国内で一般的に流通している蛍光灯である。Ｆ１０光源のスペクトルの一例を図２に示す。
【００１４】
色材（Ａ）は、上記分光反射スペクトルが得られる有機顔料、有機染料が好ましい。有機顔料、有機染料は、シャープな分光反射スペクトルを有することが多く、より極端な色彩変化が得易い。
【００１５】
有機顔料および有機染料は、例えば、モノアゾ系色材、ジスアゾ系色材、インドリン系色材、シアニン系色材、ナフトール系色材、ジケトピロロピロール系色材、フェナントロリン系色材、スクアリリウム系色材などが挙げられる。なお、これら以外の色材を使用して色相を適宜調整できることはいうまでもない。
【００１６】
色材（Ａ）は、単独または２種類以上を併用して使用できる。
【００１７】
色材（Ａ）の含有量は、着色層の色彩変化を視認できればよいため限定されないところ、着色層１００質量％中、１〜５０質量％程度である。
【００１８】
色材（Ａ）の分光反射率は、分光測色計を用いて測定できる。本明細書では、コニカミノルタ社製の「分光測色計ＣＭ−２６００ｄ」等を使用する。
【００１９】
着色層は、分散剤および樹脂（Ｃ）を含むことが好ましい。分散剤を含むことで色材（Ａ）を着色層中に容易に分散できる。また、樹脂（Ｃ）を含むことで着色層の被膜を容易に形成できる。
【００２０】
分散剤は、例えば、界面活性剤、樹脂型分散剤などが挙げられる。界面活性剤は、カチオン型界面活性剤、アニオン型界面活性剤、両性型界面活性剤、ノニオン型界面活性剤に分類できる。樹脂型分散剤の構造は、例えば、Ａ−Ｂブロック分散剤、末端変性型分散剤、グラフト型分散剤に分類できる。
【００２１】
樹脂（Ｃ）は、例えば、大豆油などを用いたワニス、松ヤニを用いたロジン樹脂およびロジン変性樹脂、アクリル樹脂、ウレタン樹脂、およびポリエステル樹脂、ならびにこれらにエチレン性不飽和二重結合を付加した紫外線硬化樹脂等が挙げられる。なお、樹脂（Ｃ）を分散剤として使用することもできる。また、分散剤を樹脂として使用できる場合がある。
【００２２】
分散剤および樹脂（Ｃ）は合計で着色層１００質量％中、５０〜９９質量％程度を含むことが好ましい。
【００２３】
着色層は、着色組成物（以下、インキともいう）を印刷して形成できる。着色組成物は、色材（Ａ）、分散剤、樹脂（Ｃ）、溶媒を含むことが好ましい。なお、着色組成物が紫外線硬化樹脂を含む場合、さらに光重合開始剤や熱重合開始剤を含むことが好ましい。
溶媒は、水、有機溶剤であり、印刷に適した粘度に調整できる公知の有機溶剤を使用できる。
【００２４】
着色組成物は、例えば、色材（Ａ）と樹脂（Ｃ）を混合した後に分散を行い作製する。分散は、例えば、ニーダー、二本ロール、三本ロール、ビーズを用いた湿式分散機、ディスパーなどの攪拌機、超音波分散機等公知の分散機を使用できる。分散する際、用途に応じて溶媒を加え粘度や分散性を調整することができる。
【００２５】
着色層は、着色組成物を基材に印刷（塗工ともいう）して形成する。印刷の際、必要に応じて、乾燥工程を行う。乾燥は、例えば、熱風オーブン、赤外線ヒーター、風乾などが挙げられる。乾燥工程に加え、または代わりに紫外線を照射できる。樹脂（Ｃ）が紫外線硬化樹脂の場合、特に有効である。
【００２６】
印刷方法は、例えば、オフセット印刷、グラビア印刷、フレキソ印刷、シルクスクリーン印刷、静電潜像現像印刷、インクジェット印刷や、アプリケーター等を用いたベタ塗り印刷等が挙げられる。基材は、印刷可能な素材であればよく、例えば、上質紙、コート紙、ダンボール、プラスチックス、ポリエチレン、ポリプロピレン、ポリエチレンテレフタレート、ベニヤ板、ステンレス板、ガラス、絹、木綿、ナイロン、レーヨン、ポリエステル、皮革等が挙げられる。
【００２７】
着色層の厚さは、０．１〜５０μｍ程度である。
【００２８】
基材の厚さは、１０μｍ〜１０ｃｍ程度である。
【００２９】
＜光源（Ｂ１）および光源（Ｂ２）＞
本明細書では、少なくとも、異なる発光波長を有する光源（Ｂ１）および光源（Ｂ２）を使用する。「少なくとも」とは、課題を解決できる範囲であれば光源（Ｂ１）および光源（Ｂ２）以外の光源を使用できる意味である。
光源（Ｂ１）および光源（Ｂ２）は白色を呈する。すなわち、人が白色光と感じる光を発色する。光源（Ｂ１）および光源（Ｂ２）の発色は、ともに白色であるため、例えば、光源（Ｂ１）から光源（Ｂ２）に光源を切り替えた場合、見る者は光源の変化には気づきにくい。しかし、光源（Ｂ１）および光源（Ｂ２）は、それぞれ発する波長が異なるため、光源を変えると本明細書の着色層の反射光が変わるため、見る者は着色層の色が突然変化するように見える。
【００３０】
光源（Ｂ１）および光源（Ｂ２）は、１または２以上の光源を組み合わせて使用できる。光源（Ｂ１）および光源（Ｂ２）は、例えば、単色のＬＥＤ電球を組み合わせて白色を呈する光を生成する方法、または市販の白色ＬＥＤ電球を用いることが好ましい。単色のＬＥＤ電球とは、例えば、青、緑、橙、赤など白色でないＬＥＤ電球を意味する。単色のＬＥＤ電球は、より極端な色彩変化を発現させるためシャープな発光スペクトルを有することが好ましく、例えば、レーザー光のような極端にシャープな発光スペクトルを有することがより好ましい。なお、いうまでもないが光源は、ＬＥＤ電球で限定されない。
【００３１】
単色のＬＥＤ電球を組み合わせて白色を呈する光を生成する一例としては、光源（Ｂ１）は、４５５ｎｍ付近の青色を呈するＬＥＤ電球、５０２ｎｍ付近の緑色を呈するＬＥＤ電球、５３２ｎｍ付近の緑色を呈するＬＥＤ電球、５５７ｎｍ付近の黄緑色を呈するＬＥＤ電球、６２４ｎｍ付近の赤色を呈するＬＥＤ電球、光源（Ｂ２）は、４５５ｎｍ付近の青色を呈するＬＥＤ電球と、５５７ｎｍ付近の黄緑色を呈するＬＥＤ電球の組み合わせが挙げられる。なお、これらの波長は発光ピークを示している。
【００３２】
なお、本明細書で白色を呈するとは、米国規格協会（Ａｍｅｒｉｃａｎ  Ｎａｔｉｏｎａｌ  Ｓｔａｎｄａｒｄｓ  Ｉｎｓｔｉｔｕｔｅ）が定めた、色度に関する規格(ＡＮＳＩ  Ｃ７８．３７７)にて規定された白色光を意味する。
【００３３】
本明細書の色材（Ａ）を含む着色層は、視野角２°でのＣ光源下において、波長４００〜４５０ｎｍの分光反射率が１０％以下、かつ波長５００〜６００ｎｍの分光反射率が６０％以上となる領域を有し、
光源（Ｂ１）および光源（Ｂ２）は白色光であり、
光源（Ｂ１）の分光分布は、最大発光強度を１００％とした場合に、波長５５０〜７００ｎｍで５０％以上の発光ピークを１つ以上有し、
光源（Ｂ２）の分光分布は、最大発光強度を１００％とした場合に、波長５００〜６００ｎｍで５０％以上の発光ピークを１つ以上有し、
光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である。
【００３４】
光源（Ｂ１）は、波長５００〜７００ｎｍの黄色〜橙色〜赤色の発光スペクトルを有する。また、白色を呈するために、４００〜５００ｎｍ付近の青色の発光スペクトルも有する必要がある。そのため本明細書の着色層は、主に光源（Ｂ１）からの５５０〜７００ｎｍの発光を反射し黄色、橙色、赤色を呈する。
光源（Ｂ２）は波長５００〜６００ｎｍの黄色〜橙色の発光スペクトルを有する。また、白色を呈するために、４００〜５００ｎｍ付近の青色の発光スペクトルも有する必要がある。そのため本明細書の着色層は、主に光源（Ｂ２）からの５００〜６００ｎｍの発光を反射し黄色、橙色を呈する。また、反射光の強度が弱い場合は、茶色を呈する。
【００３５】
本明細書では、光源（Ｂ２）の波長５００〜６００ｎｍにおける５０％以上の発光ピークの波長が、光源（Ｂ１）の波長５５０〜７００ｎｍにおける５０％以上の発光ピークの波長より短波長であるため、着色層は、光源（Ｂ１）では長波長の光を反射し、光源（Ｂ２）では短波長の光を反射する。これにより着色層を見る者は、色彩変化を認識できる。色彩変化のパターンは、例えば、赤色―橙色、赤色―茶色、赤色―黄色、茶色―橙色、茶色―黄色、橙色―黄色が挙げられる。
【００３６】
本明細書で光源（Ｂ１）と光源（Ｂ２）は、光源を切り替える際に、見る者に光源が切り替わったことを感じさせないように、照度や色温度を同程度にすることが好ましい。
【００３７】
本明細書で光源（Ｂ１）と光源（Ｂ２）の照度差は、２００ルクス以下であることが好ましい。照度差をこの範囲とすることで、見る者は、光源が切り替わったことがより気づきにくくなる。なお、照度とは、光の明るさを評価する指標であり、単位面積に入射する光束量で表される値であって、単位はｌｕｘ（ルクス）で表される。
【００３８】
色温度とは、ある光源が発している光の色を定量的な数値で表現する尺度（単位）である。単位には熱力学的温度のＫ（ケルビン） を用いる。理想的な黒体を想定すると、ある温度において黒体が放射する光の波長の分布を導き出すことができる。温度が低い時は暗いオレンジ色であり、温度が高くなるにつれて黄色みを帯びた白になり、さらに高くなると青みがかった白に近くなる。このように、白という色を黒体の温度で表現し、この温度を色温度と呼ぶ。澄み切った高原の空の正午の太陽の光はおおよそ６５００Ｋといわれる。これらは、一般に考えられている白よりかなり黄色っぽい。実際に物体を照らす光には天空光（直射日光以外の光）の青色がかなり色みに影響しており、６５００Ｋよりも高い色温度では白く感じられる。光源（Ｂ１）と光源（Ｂ２）の色温度の差は、２０００Ｋ以下であることが好ましく、１０００Ｋ以下であることがより好ましい。
【００３９】
照度や色温度は、例えばユーピーアールテック社製スペクトルメーター「ＭＫ３５０Ｓ」等を用いて測定することができる。
【００４０】
光源を（Ｂ１）から（Ｂ２）に直接変化させた際に、照度や色温度の違いなどにより見る者が違和感を覚える場合は、例えば、色彩変化に寄与しない市販の白色ＬＥＤを用いた光源（Ｂ０）を導入し、光源を（Ｂ１）⇒（Ｂ０）⇒（Ｂ２）の順に変化させることで、違和感のない光源の切り替えを行うことができる。
【００４１】
＜色彩変化装置＞
本明細書の色彩変化装置は、色材（Ａ）を含む着色層、ならびに異なる発光波長を有する光源（Ｂ１）および光源（Ｂ２）を備え、
光源（Ｂ１）から光源（Ｂ２）に光に変えて、または光源（Ｂ２）から光源（Ｂ１）に光を変えて、色材（Ａ）を含む着色層の色彩が変化する色彩変化装置であって、
前記色材（Ａ）は、色材（Ａ）を含む着色層と、少なくとも、異なる発光波長を有する光源（Ｂ１）及び光源（Ｂ２）とを含む色彩変化装置であって、
前記着色層は、視野角２°でのＣ光源下において、４００〜４５０ｎｍの範囲で分光反射率が１０％以下であり、５００〜６００ｎｍの範囲に分光反射率が６０％以上となる領域を有し、
光源（Ｂ１）および光源（Ｂ２）は白色光であり、
光源（Ｂ１）の分光分布は、最大発光強度を１００％とした場合に、波長５５０〜７００ｎｍで５０％以上の発光ピークを１つ以上有し、
光源（Ｂ２）の分光分布は、最大発光強度を１００％とした場合に、波長５００〜６００ｎｍで５０％以上の発光ピークを１つ以上有し、
光源（Ｂ２）の波長５００〜６００ｎｍにおける５０％以上の発光ピークの波長が、光源（Ｂ１）の波長５５０〜７００ｎｍにおける５０％以上の発光ピークの波長より短波長である。
【００４２】
本明細書の色彩変化装置の一例を示す。まず、図面は、上側を上、下側を下という。
図３の光源１０１によると単色のＬＥＤ電球である光源Ｌ１〜Ｌ５を複数配置する。配置方法は、ＬＥＤの光が均一に混ざるように配置すれば良く、図３に示すように各ＬＥＤを、例えば、横一列に並べる、または、縦一列に並べる、または、ランダムに並べることができる。光源の配置は、光源（Ｂ１）を光源（Ｂ２）に切り替える、または、光源（Ｂ２）を光源（Ｂ１）に切り替えることで着色層に所望の色変化が起きればよい。なお、光源１０１に記載されたＬ１〜Ｌ５は、それぞれ図６〜図１０の分光波長を示すＬＥＤ電球を使用している。
【００４３】
図４の色彩変化装置２０１は、光が底面２０５方向に照射されるよう天板２０２に光源１０１を下向きに設置する。着色層を備える印刷物２０６は、図４では、底面２０５に設置しているが、底面２０５から光源１０１の任意の場所に配置できる。光源１０１から着色層を備える印刷物２０６までの距離は、光源１０１からの単色のＬＥＤ電球の光が十分混ざり合い、白色光として着色層に到達するよう適宜調整する。色彩変化装置２０１は、光源（Ｂ１）および光源（Ｂ２）以外の光を遮断することが、より極端な色変化が得られる面で好ましい。そのため天板２０２、および底面２０５以外の正面、背面、右側面、および左側面の４つの面のうち、３つの面を白色度９０％以上の壁紙や黒色の壁紙等で覆い、外部からの光を遮断することが好ましい。残る１面は、全く覆わなくても良いが、天板に近い上半分程度を前記壁紙で覆うことで、外部からの光をより遮断することができる。また、色彩変化装置のサイズが、部屋のように人が入れる程度に大きい場合は、色彩変化装置の中に人が入り、残る１面にドアなどを設置し完全に覆うことで、外部からの光をほぼ完全に遮断できる。なお、壁紙の色は問わないが、光源を変化させた際に色彩変化を起こさない色が好ましい。着色層付印刷物２０６は、光源の変化で色彩が変化可能な場所に設置すればよく、底面２０５に限定されないことはいうまでもない。
【００４４】
着色層を備える印刷物２０６は、既に説明した通り、色材（Ａ）、樹脂（Ｃ）、溶剤を含む着色組成物を、オフセット印刷等の公知の印刷方法を用いて基材に塗工し、乾燥させて形成できる。
次に図５に示す光源１０１を発光方向２０４のように発光させてと着色層付印刷物２０６に光を照射する。
【００４５】
光源（Ｂ１）と光源（Ｂ２）との光源の切り替えは、マイクロコンピュータとそこに組み込んだコンピュータプログラムを用いた上で、光の強度を（Ｂ１）：（Ｂ２）＝１００：０〜５０：５０〜０：１００〜５０：５０〜１００：０と段階的に、かつ、スムーズに切り替えて色彩を徐々に変化させることができる。また、光の強度を（Ｂ１）：（Ｂ２）＝１００：０から０：１００へ急激に切り替えることで、色彩が突然変化したように見せることもできる。
【００４６】
色彩変化装置は、光源（Ｂ１）および光源（Ｂ２）を切り替えることによって、色材（Ａ）を含む着色層の色彩が変化可能であれば良いため、ＬＥＤ光源の配置は、図３に限定されないことはいうまでもない。
【実施例】
【００４７】
以下、実施例で本発明をより詳細に説明するが、本発明はこれらにより限定されるものではない。なお特に断りがない限り、部は質量部を意味する。
【００４８】
＜色彩変化装置の作製＞
［光源Ｂ１の作製］
光源Ｂ１として、下記のＬＥＤ電球を用いて作製した。
Ｌ１：波長４５５ｎｍの青色ＬＥＤ電球（分光分布は４１６〜５１５ｎｍの範囲）、発光スペクトルを図６に示す。
Ｌ２：波長５０２ｎｍの緑色ＬＥＤ電球（分光分布は４４９〜５７２ｎｍの範囲）、発光スペクトルを図７に示す。
Ｌ３：波長５３２ｎｍの緑色ＬＥＤ電球（分光分布は４８０〜６０１ｎｍの範囲）、発光スペクトルを図８に示す。
Ｌ４：波長５５７ｎｍの黄緑色ＬＥＤ電球（分光分布は５１７〜６３６ｎｍの範囲）、発光スペクトルを図９に示す。
Ｌ５：波長６２４ｎｍの赤色ＬＥＤ電球（分光分布は５７３〜６５９ｎｍの範囲）、発光スペクトルを図１０に示す。
【００４９】
上記ＬＥＤ電球を図３の光源１０１の通り配置し、全ＬＥＤ電球を発光させ、光源（Ｂ１）の照度を約７００ルクス、色温度を約６５００ＫとなるようＬ１〜Ｌ５の単色ＬＥＤの発光強度を調整したところ白色光を呈した。図１１に光源（Ｂ１）の発光スペクトルを示す。
【００５０】
［光源Ｂ２の作製］
光源（Ｂ２）は、光源（Ｂ１）で配置したＬＥＤ電球のうち、Ｌ１およびＬ４のＬＥＤ電球のみ点灯させ、照度を約７００ルクス、色温度を約６５００Ｋとなるよう調整し、白色光を呈する態様を光源（Ｂ２）とした。光源（Ｂ２）の発光スペクトルを図１２に示す。なお、光源（Ｂ１）、光源（Ｂ２）から照射され生成した白色光は、米国規格協会（Ａｍｅｒｉｃａｎ  Ｎａｔｉｏｎａｌ  Ｓｔａｎｄａｒｄｓ  Ｉｎｓｔｉｔｕｔｅ）が定めた、色度に関する規格(ＡＮＳＩ  Ｃ７８．３７７)にて規定された白色光の範囲内となるよう調整した。
【００５１】
［色彩変化装置の作製］
アルミ棒を組み合わせ、縦５０ｃｍ、横５０ｃｍ、高さ１００ｃｍのアルミ製フレームを作製した。アルミフレームの天板に、ＬＥＤ電球Ｌ１〜Ｌ５を搭載した光源１０１を、底板に向かって光が照射される方向に取り付けた。底板として、ダンボールに白色度９０％以上のコート紙を貼り付けたものを取り付けた。アルミ製フレームの天板および底板以外の４面のうち３面に、ダンボールに白色度９０％以上のコート紙を貼り付けたものを取り付けた。天板、底板、天板および底板以外の４面のうち３面は、外部からの光が極力入らないよう、隙間やつなぎ目を白色度９０％以上のコート紙で覆った。残る１面には、天板に近い上半分に、ダンボールに白色度９０％以上のコート紙を貼り付けたものを取り付けた。
印刷物は底板の上に設置し、光源からの距離が１００ｃｍとなるよう配置した。
【００５２】
＜印刷物の作製＞
［実施例１］
東洋インキ株式会社製リオアルファＳ  Ｆ５２３朱（有機顔料、樹脂、溶剤を含有する）を、ヨシミツ精機社製ドクターブレードＹＤ−２型（塗布幅７５ｍｍ、塗布厚６μｍ）を用い、ＬＥＮＥＴＡ社製試験紙ＫＬ−５Ｃ（厚さ１００μｍ）に塗工し、次いで６０℃で５分間乾燥を行い、厚さ３μｍの着色層を備える印刷物１を得た。得られた印刷物１は視野角２°でのＣ光源下、橙色を呈していた（Ｙｘｙ表色系において、視野角２°でのＣ光源下の測定でｘ＝０．５９、ｙ＝０．４０）。印刷物１のＣ光源における分光反射スペクトルを図１３に示す。
【００５３】
［実施例２］
東洋インキ株式会社製リオアルファＳ  Ｆ５２３朱を、東洋インキ株式会社製リオアルファＳ  Ｒ５２５朱（有機顔料、樹脂、溶剤を含有する）に変更すること以外は実施例１と同様にして、印刷物２を得た。得られた印刷物２は視野角２°でのＣ光源下、赤色を呈していた（Ｙｘｙ表色系において、視野角２°でのＣ光源下の測定でｘ＝０．６０、ｙ＝０．３６）。印刷物２の分光反射スペクトルを図１４に示す。
【００５４】
［実施例３］
東洋インキ株式会社製リオアルファＳ  Ｆ５２３朱を、東洋インキ株式会社製リオアルファＳ  Ｆ２３黄（有機顔料、樹脂、溶剤を含有する）に変更すること以外は実施例１と同様にして、印刷物３を得た。得られた印刷物３は視野角２°でのＣ光源下、黄色を呈していた（Ｙｘｙ表色系において、視野角２°でのＣ光源下の測定でｘ＝０．４６、ｙ＝０．５１）。印刷物３の分光反射スペクトルを図１５に示す。
【００５５】
［比較例１］
東洋インキ株式会社製リオアルファＳ  Ｆ５２３朱を、ホルベイン工業株式会社製バヂターブルーＷＷ０９５を１部、シーアイ化成社製ＮａｎｏＴｅｋＰｏｗｄｅｒを１部、これらを均一に混合したものに変更すること以外は実施例１と同様にして、印刷物４を得た。得られた印刷物４は視野角２°でのＣ光源下、青色を呈していた（Ｙｘｙ表色系において、ｘ＝０．１６、ｙ＝０．２６）。印刷物４の分光反射スペクトルを図１６に示す。
【００５６】
［比較例２］
東洋インキ株式会社製リオアルファＳ  Ｆ５２３朱を、東洋インキ株式会社製リオアルファＳ  Ｚ８２１紫（有機顔料、樹脂、溶剤を含有する）に変更すること以外は実施例１と同様にして、印刷物５を得た。得られた印刷物５は視野角２°でのＣ光源下、目視で紫色を呈していた（Ｙｘｙ表色系において、視野角２°でのＣ光源下の測定でｘ＝０．１９、ｙ＝０．０６）。印刷物５の分光反射スペクトルを図１７に示す。
【００５７】
［色彩評価］
得られた印刷物１〜５を、作製した照明装置の中に設置し、光源（Ｂ１）を光源（Ｂ２）に切り替え色彩変化を目視で評価した。結果を表１に示す。
【００５８】
【表１】
2019207752.tif 000003
【００５９】
表１の結果から実施例１および２は、光源（Ｂ１）を照射すると、５５０〜７００ｎｍの範囲にある発光（今回の場合、６２４ｎｍにピークを有する発光）由来の反射光が観測されるため、赤色に見える。実施例３は、５５０〜７００ｎｍの範囲にある発光ピーク由来の反射に加え、５００〜５５０ｎｍの発光ピーク由来の黄色の反射が観測されるため、橙色に見える。ここで光源を（Ｂ２）に切り替えると、実施例１は、５００〜６００ｎｍの範囲にある発光（今回の場合、５５７ｎｍにピークを有する発光）のうち、５５０〜６００ｎｍ付近の反射光が観測されるため、橙色に見える。実施例２は、５００〜６００ｎｍの範囲の発光のうち、５６５〜６００ｎｍ付近の反射光が観測され、かつ、反射光の強度が弱いため、茶色に見える。実施例３は、５００〜６００ｎｍの範囲にある発光由来の反射光が観測されるため、黄色に見える。
一方、比較例１は、４００〜４５０ｎｍの分光反射率が１０％以上であるため、光源を（Ｂ１）から（Ｂ２）に切り替えても青色の反射が観測され、極端な色彩変化が起きず、目視で色彩の大きな変化を確認できなかった。
また、比較例２は、４００〜４５０ｎｍの分光反射率が１０％以上であり、５００〜６００ｎｍの範囲に分光反射率が６０％以上となる領域を有さないため、光源を（Ｂ１）から（Ｂ２）に切り替えても極端な色彩変化が起きず、目視で色彩の大きな変化を確認できなかった。
【００６０】
以上の結果から、本発明の色彩変化方法および色彩変化装置を用いることで、見る者は、照明変化を意識せずに、着色層の色の変化を体感することができる。本発明は、舞台装置、衣装、緞帳等の劇場照明、建築意匠の演出、広告照明、紙幣・有価証券・チケット等の偽造防止印刷、信号等の表示装置などに好適に用いることができる。
【符号の説明】
【００６１】
１０１  光源
２０１  色彩変化装置
２０２  天板
２０３  フレーム
２０４  発光方向
２０５  底面
２０６  着色層を備える印刷物
３０１  光源
【図１】
2019207752.tif 000004
【図２】
2019207752.tif 000005
【図３】
2019207752.tif 000006
【図４】
2019207752.tif 000007
【図５】
2019207752.tif 000008
【図６】
2019207752.tif 000009
【図７】
2019207752.tif 000010
【図８】
2019207752.tif 000011
【図９】
2019207752.tif 000012
【図１０】
2019207752.tif 000013
【図１１】
2019207752.tif 000014
【図１２】
2019207752.tif 000015
【図１３】
2019207752.tif 000016
【図１４】
2019207752.tif 000017
【図１５】
2019207752.tif 000018
【図１６】
2019207752.tif 000019
【図１７】
2019207752.tif 000020